(57)【要約】【課題】駆動手段を簡略化し、小型化を図るとともに、適用範囲を拡大することのできる表示装置を提供する。【解決手段】第１の表示対象物２０と、この第１の表示対象物２０に対して傾斜配置させて設けられ、第１の表示対象物２０を所定方向から目視可能に映し出して表示する表示板１４と、表示板１４の背後に配置される第２の表示対象物２２と、表示板１４の位置を移動する移動手段３６とを有し、移動手段３６は、目視可能な表示対象物を第１の表示対象物２０から第２の表示対象物２２に変更する。【選択図】        図６
2004191681.tif 000002
【特許請求の範囲】
【請求項１】
第１の表示対象物と、
この第１の表示対象物に対して傾斜させて設けられ、前記第１の表示対象物を所定方向から目視可能に映し出して表示する表示板と、
前記表示板の背後に配置される第２の表示対象物と、
前記表示板の位置を移動する移動手段とを有し、
前記移動手段は、目視可能な表示対象物を前記第１の表示対象物から第２の表示対象物に変更することを特徴とする表示装置。
【請求項２】
第１の表示対象物と、
この第１の表示対象物に対して傾斜させて設けられ、前記第１の表示対象物を所定方向から目視可能に映し出して表示する表示板と、
前記表示板の背後に目視可能に配置される第２の表示対象物と、
前記第１の表示対象物と前記第２の表示対象物との両方を目視できる状態と、第２の表示対象物だけ目視できる状態とに前記表示板を移動させる移動手段と、
を有することを特徴とする表示装置。
【請求項３】
請求項１または２において、
前記表示板は、一辺が回動可能に固定され、前記移動手段により上下または横方向の回動によって前記第１の表示対象物の表示位置と視界から隠れる位置とに移動可能にされていることを特徴とする表示装置。
【請求項４】
請求項１〜３のいずれかにおいて、
前記表示板は、下辺が回動可能に固定され、前記移動手段により上辺側が傾斜立上り状態で支持されて表示板の下方に配置された前記第１の表示対象物を表示可能とすることを特徴とする表示装置。
【請求項５】
請求項４において、
前記表示板は、前記移動手段により支持状態が解除されることで上部側が自重で下方に回動し、前記第１の表示対象物上を覆って視界から隠れることを特徴とする表示装置。
【請求項６】
請求項４において、
前記表示板は、付勢手段により下方回動方向に付勢され、前記移動手段により支持状態が解除されることで上部側が下方に回動し、前記第１の表示対象物上を覆って視界から隠れることを特徴とする表示装置。
【請求項７】
請求項１〜６のいずれかにおいて、
前記表示板は、ハーフミラーにて形成されていることを特徴とする表示装置。
【請求項８】
請求項１〜７において、
前記第２の表示対象物は配置される位置が変更可能とされ、前記移動手段は、前記第２の表示対象物が所定位置に配置されるタイミングに合わせて前記表示板を移動させることを特徴とする表示装置。
【請求項９】
請求項１〜８のいずれかにおいて、
前記第１の表示対象物は破裂前の完全形態物で、前記第２の表示対象物は破裂後の複数の破片形態物とされ、
前記破片形態物の表示時に前記複数の破片形態物を上方に跳ね上げる跳上手段を有することを特徴とする表示装置。
【請求項１０】
請求項９において、
前記破片形態物は、飛び出し防止用の透明カバーにて覆われ、前記透明カバー内には、跳ね上げられた複数の破片形態物が前方位置で、かつ、上方にいくにしたがって広がる状態を形成する飛散方向制御板が設けられていることを特徴とする表示装置。
【請求項１１】
請求項９または１０において、
前記跳上手段は、一端が回動可能に固定された跳上板と、前記跳上板を上方に付勢する付勢手段とを有し、
前記移動手段は、前記表示板との係合部及び前記跳上板との係合部を有し揺動可能にされたレバーと、前記レバーを持ち上げて前記表示板を下辺を回動中心として傾斜状態で立ち上がり保持すると共に、前記跳上板を下方に押しつけた状態で保持し、かつ、前記表示板及び跳上板との保持状態を解除するカムと、前記カムを回転駆動する駆動手段とを有することを特徴とする表示装置。
【発明の詳細な説明】
【０００１】
【発明の属する技術分野】
本発明は、表示装置に関し、特に、実体物である表示対象物を切り替え表示する表示装置に関する。
【０００２】
【背景技術】
本願出願人は、実体物の入れ替わりを容易に表示でき、しかもリアリティがあり、かつ迫力のある表示を行うことを目的として、概ね所定方向から目視されるところの表示位置に現出される複数の表示物と、各表示物毎に設けられており、この表示物を前記表示位置に現出した状態と視界から隠した状態とに切り替える出没手段とを有し、前記表示位置には１つの表示物だけが現出されるとともに、他の表示物は隠れた状態に保持され、前記表示位置にある表示物の前記出没手段が作動して隠されたとき、それと同期して隠れた状態にある表示物の１つの出没手段が作動して当該表示物が前記表示位置に現出される表示装置を先に提案した（特許文献１参照）。
【０００３】
【特許文献１】
特開２０００−８８４９８号公報
【０００４】
【発明が解決しようとする課題】
このような表示装置においては、出没手段として表示位置に配置した実体物を目隠板で覆って隠すことで、２つの表示物を表示位置に現出した状態と視界から隠した状態とに切り替えるようにするとともに、２つの表示物の一方を破裂前の状態とし、他方を破裂時を表示する破片物とし、この破片物を打撃装置によって打ち上げるようにしている。
【０００５】
そのため、目隠板を駆動するための駆動手段と、破片物を打ち上げるための駆動装置とを個別に取り付けており、この個別の駆動手段によって機構が複雑で、大型のものとなってしまい、表示装置の適用範囲に制限を受けることとなる。
【０００６】
本発明の目的は、駆動手段を簡略化し、小型化を図るとともに、適用範囲を拡大することのできる表示装置を提供することにある。
【０００７】
【課題を解決するための手段】
前記目的を達成するため、本発明の表示装置は、第１の表示対象物と、
この第１の表示対象物に対して傾斜させて設けられ、前記第１の表示対象物を所定方向から目視可能に映し出して表示する表示板と、
前記表示板の背後に配置される第２の表示対象物と、
前記表示板の位置を移動する移動手段とを有し、
前記移動手段は、目視可能な表示対象物を前記第１の表示対象物から第２の表示対象物に変更することを特徴とする。
【０００８】
本発明によれば、移動手段により表示板を移動させて、目視可能な表示対象物を第１の表示対象物から第２の表示対象物に変更することで、目隠板等の駆動・設置スペースを省略し、省スペース化による小型化を図るとともに、この移動手段の構成も表示板の移動のみですむため、構成も簡略なものとすることができ、種々の表示装置やゲーム装置などに用いることができ、適用範囲を拡大することができる。
【０００９】
本発明の他の表示装置は、第１の表示対象物と、
この第１の表示対象物に対して傾斜させて設けられ、前記第１の表示対象物を所定方向から目視可能に映し出して表示する表示板と、
前記表示板の背後に目視可能に配置される第２の表示対象物と、
前記第１の表示対象物と前記第２の表示対象物との両方を目視できる状態と、第２の表示対象物だけ目視できる状態とに前記表示板を移動させる移動手段と、
を有することを特徴とする。
【００１０】
本発明によれば、目隠板等の駆動・設置スペースを省略し、省スペース化による小型化を図るとともに、この移動手段の構成も表示板の移動のみですむため、構成も簡略なものとすることができ、種々の表示装置やゲーム装置などに用いることができ、適用範囲を拡大することができる。
【００１１】
さらに加えて、第１の表示対象物と第２の表示対象物が同時に表示板に映る瞬間を持つことにより、より自然に表示の変化がなされる。
【００１２】
本発明においては、前記表示板は、前記移動手段により一辺が回動可能に固定され、上下または横方向の回動によって前記第１の表示対象物の表示位置と視界から隠れる位置とに移動可能にすることができる。
【００１３】
このような構成とすることにより、適用対象物の取り付けスペースに応じて表示板を上下または横方向に回動させることにより、より一層適用範囲を拡大することができる。
【００１４】
また、本発明においては、前記表示板は、下辺が回動可能に固定され、前記移動手段により上辺側が傾斜立上り状態で支持されて表示板の下方に配置された前記第１の表示対象物を表示可能にすることができる。
【００１５】
このような構成とすることにより、移動手段により表示板の上辺側を傾斜立上り状態で支持することで、表示板の下方に配置された第１の表示対象物を目視可能に表示することができ、上下方向での取り付けスペースを有する適用対象物に対して有効なものとなる。
【００１６】
この場合、前記表示板は、前記移動手段により支持状態が解除されることで上部側が自重で下方に回動し、前記第１の表示対象物上を覆って視界から隠れるようにすることができる。
【００１７】
このような構成とすることにより、移動手段による支持解除によって表示板が自重で下方に回動することで、簡単な構成で、駆動手段を用いることなく視界から隠れる状態とすることができる。
【００１８】
また、前記表示板は、付勢手段により下方回動方向に付勢され、前記移動手段により支持状態が解除されることで上部側が下方に回動し、前記第１の表示対象物上を覆って視界から隠れるようにすることができる。
【００１９】
このような構成とすることにより、付勢手段によって表示板の下方への回動動作を速やかに行わせることができ、表示切り替えを迅速に行わせることができる。
【００２０】
本発明においては、前記表示板は、ハーフミラーにて形成することができる。
【００２１】
このような構成とすることにより、第１の表示対象物から第２の表示対象物に表示を切り替える際に、第１の表示対象物から第２の表示対象物への表示の移行が連動するような場合に、不自然な感じを与えることなく連続した移行状態を呈することができる。
【００２２】
例えば、第１の表示対象物が破裂前、第２の表示対象物が破裂後の破片の飛散を表示する場合、破裂前の形態をぎりぎりまで表示しつつ、破裂後の破片の飛散の表示も始めることができ、突然切り替わるような違和感をなくすことができる。
【００２３】
本発明においては、前記第２の表示対象物は配置される位置が変更可能とされ、前記移動手段は、前記第２の表示対象物が所定位置に配置されるタイミングに合わせて前記表示板を移動させることができる。
【００２４】
このような構成とすることにより、第２の表示対象物の表示位置が変更された際に、そのタイミングにあわせて表示板を移動させることで、変更された表示位置の第２の表示対象物を確実に表示することができる。
【００２５】
本発明においては、前記第１の表示対象物は破裂前の完全形態物で、前記第２の表示対象物は破裂後の複数の破片形態物とされ、
前記破片形態物の表示時に前記複数の破片形態物を上方に跳ね上げる跳上手段を有するものとすることができる。
【００２６】
このような構成とすることにより、普段見えている完全形態物が突然破片形態物の跳上動作に変化するので、動きが予想できず、動作時に新鮮な驚きを与えることができる。
【００２７】
この場合、前記破片形態物は、飛び出し防止用の透明カバーにて覆われ、前記透明カバー内には、跳ね上げられた複数の破片形態物が前方位置で、かつ、上方にいくにしたがって広がる状態を形成する飛散方向制御板を設けることができる。
【００２８】
このような構成とすることにより、飛散方向制御板によってあたかも完全形態物が破裂して飛散しているかのごとき状態を呈することができる。
【００２９】
このような場合、前記跳上手段は、一端が回動可能に固定された跳上板と、前記跳上板を上方に付勢する付勢手段とを有し、
前記移動手段は、前記表示板との係合部及び前記跳上板との係合部を有し揺動可能にされたレバーと、前記レバーを持ち上げて前記表示板を下辺を回動中心として傾斜状態で立ち上がり保持すると共に、前記跳上板を下方に押しつけた状態で保持し、かつ、前記表示板及び跳上板との保持状態を解除するカムと、前記カムを回転駆動する駆動手段とを有するものとすることができる。
【００３０】
このような構成とすることにより、１つの駆動手段により表示板の保持及び回動、跳上板の跳ね上げ動作を行うことができ、より簡単な構成で、小型のものとすることができる。
【００３１】
【発明の実施の形態】
以下、本発明の実施の形態について、図面を参照して説明する。
【００３２】
図１〜図７は、本発明の一実施の形態に係る表示装置を示す図である。
【００３３】
この表示装置１０は、図１〜図６に示すように、筐体１２のほぼ中央に表示板１４が配設されている。
【００３４】
筐体１２は、前面のほぼ中央部分が開口１６として形成されている。
【００３５】
表示板１４は、ハーフミラーにて形成されたもので、下辺が両側のピン１８を介して筐体１２に対し回動可能に固定され、上辺側が開口１６側に傾いた状態で設けられている。
【００３６】
そして、この表示板１４の下方位置に第１の表示対象物２０が配置され、かつ、開口１６側からの目視方向背後の目視できない隠れた位置に第２の表示対象物２２（図４〜図７参照）が配置されている。
【００３７】
第１の表示対象物２０は、カップの形状を模した実体物で、筐体１２の底部に斜めに配置されるような形態として形成され、この第１の表示対象物２０に対して表示板１４が傾斜させて設けられた状態となり、この第１の表示対象物２０を所定方向、具体的には開口１６方向から目視可能に表示板１４に映し出して第１の表示対象物２０の虚像２４を形成できるようになっている。
【００３８】
第２の表示対象物２２は、完成形態物であるカップとしての第１の表示対象物２０が破裂した後の破片形態物である複数の破片として形成されている。
【００３９】
また、この第２の表示対象物２２は、跳上手段２６によって上方に跳ね上げられ、開口１６から目視して表示板１４の背後に配置される。さらに、表示板１４がハーフミラーのように透過性である場合、第２の表示対象物２２が跳上手段２６によって跳ね上げられた後、視界に入る位置に達すると目視可能となる。
【００４０】
従って、第２の表示対象物２２の跳ね上げタイミング（出現タイミング）にあわせて、後述する移動手段３６によって表示板１４を移動して、第１の表示対象物２０の反射線を目視できないようにすることで、第１の表示対象物２０が見えなくなるのとほぼ同時に第２の表示対象物２２を出現させる（目視可能にする）ことができる。これにより、自然に第１の表示対象物２０が第２の表示対象物２２に入れ替わるような演出が可能となる。
【００４１】
跳上手段２６は、図３、図５に示すように、一端（図中向かって左端）が回動可能に固定されて他端が上下に回動できるようにされ、かつ、上面に第２の表示対象物２２を載置可能にされた跳上板２８と、この跳上板２８の他端と筐体１２の上側部との間に掛け渡された付勢手段３０とを有し、この付勢手段３０によって跳上板２８が上方に付勢され、この付勢力によって跳上板２８上の第２の表示対象物２２を跳ね上げるようにしている。
【００４２】
付勢手段３０としては、本実施の形態ではスプリングが用いられているが、ゴム等の弾性部材を用いるようにしてもよい。
【００４３】
また、跳上板２８を板バネで構成することで、第２の表示対象物２２を跳ね上げるようにしたり、あるいは跳上板２８を用いずに空気等の噴出などで跳ね上げるようにしてもよい。
【００４４】
また、表示板１４の背後で、第２の表示対象物２２との間には、透明カバー３２が設けられ、この透明カバー３２で第２の表示対象物２２を覆うことにより、第２の表示対象物２２が表示位置から飛び出してしまうのを防止するようにしている。
【００４５】
さらに、透明カバー３２内には、図７に示すように、下方から上方にいくに従って広がり、かつ内方に突出する状態とされた飛散方向制御板３４が設けられ、この飛散方向制御板３４によって跳ね上げられた複数の第２の表示対象物２２が前方位置で、かつ、上方にいくに従って広がる状態を形成するようにし、実際に破片が飛び散っているような状態を呈するようにしている。
【００４６】
この飛散方向制御板３４は筐体１２と一体化してもよく、あるいはこの飛散方向制御板３４を省略することも可能である。
【００４７】
また、透明カバー３２と筐体１２の間に水等の液体や密度の高いガス等を満たすことにより、スローモーションのように破片を跳ね上げさせることもできる。
【００４８】
そして、表示板１４を、図２、図４、図６に示すように、移動手段３６によって、第１の表示対象物２０が目視可能となる表示位置Ａと、第１の表示対象物２０が視界から隠れる（目視不可能となる）位置Ｂとに移動可能にして、第１の表示対象物２０が表示されているときに第２の表示対象物２２を視界から隠し、第１の表示対象物２０を視界から隠しつつ、第２の表示対象物２２が表示されるようにしている。
【００４９】
移動手段３６は、レバー３８と、カム４０と、駆動手段４２とを有する。
【００５０】
レバー３８は、レバー本体４４の一端、具体的には開口１６側端部にカム４０と係合するカム係合部４６を有し、他端側に跳上板２８の上面と係合する跳上板係合部４８を有し、さらに中間位置から上方に突出して表示板１４と係合する表示板係合部５０を有し、レバー本体４４が回転軸５２を中心に揺動可能に筐体１２の側面下部に取り付けられている。
【００５１】
この場合、表示板係合部５０は、表示板１４の側部に一体的に設けたアーム５４の先端に位置するローラ５６と係合する状態となっている。
【００５２】
アーム５４は、表示板１４の下端部側に表示板１４の後方側に延びるように取り付けられており、筐体１２の側面対応位置に形成した孔部５８より筐体１２の外方に突出した状態となっている。
【００５３】
孔部５８は、表示板１４が表示位置Ａと視界から隠れる位置Ｂとの間で移動できるようにほぼ扇状の形状とされている。
【００５４】
また、アーム５４は、付勢手段５９を介して、筐体１２の開口１６側上側部と連結され、この付勢手段５９によって、表示板１４が表示位置Ａから視界から隠れる位置Ｂへと移動する方向へ付勢された状態となっている。
【００５５】
付勢手段５９は、本実施の形態ではスプリングが用いられているが、ゴム等の弾性部材を用いるようにしてもよい。
【００５６】
カム４０は、レバー３８のカム係合部４６を掬い上げる掬い上げ部６０と、この掬い上げたカム係合部４６を乗り上げ状態で保持する乗り上げ部６２と、カム係合部４６の乗り上げ部６２に対する乗り上げ状態を解除する乗り上げ解除部６４とを有するほぼ半円形状のものとされている。
【００５７】
なお、レバー３８のカム係合部４６が掬い上げ部６０によって確実に掬い上げできるように、筐体１２の側面下部にはレバー３８が下方に移動した際の位置決め部材６６が取り付けられている。
【００５８】
駆動手段４２は、カム４０を図２、図６中矢印で示す反時計方向に回転駆動するもので、本実施の形態ではギヤードモータが用いられている。
【００５９】
そして、表示板１４が、例えば図２の二点鎖線で示すように、視界から隠れる位置Ｂ、すなわち水平状態に位置するとき、レバー３８のカム係合部４６はカム４０の乗り上げ部６２から解除されて、図中二点鎖線で示すように、位置決め部材６６上に当接した状態となっており、カム４０の掬い上げ部６０が図中二点鎖線で示すようにカム係合部４６と係合していない状態となっている。
【００６０】
従って、レバー３８の跳上板係合部４８及び表示板係合部５０は、跳上板２８及び表示板１４のアーム５４を押し付けていない状態となっている。
【００６１】
この状態から、駆動手段４２によりカム４０を反時計方向に回転させると、掬い上げ部６０がレバー３８のカム係合部４６に係合して掬い上げ、カム係合部４６を徐々に持ち上げていく。
【００６２】
これに伴って、跳上板係合部４８及び表示板係合部５０が跳上板２８及び表示板１４のアーム５４、具体的にはローラ５６を付勢手段３０及び５９の付勢力に抗して押し付けていく。
【００６３】
そして、レバー３８のカム係合部４６が上限位置に達すると、カム係合部４６はカム４０の乗り上げ部６２に乗り上げてその状態を維持することとなる。
【００６４】
これによって、跳上板２８は、跳上板係合部４８によって最下位位置まで押し下げられ、表示板１４は表示板係合部５０によって表示位置Ａで停止した状態を維持することとなり、この状態が表示切り替え待機状態となる。
【００６５】
この状態で表示板１４には、第１の表示対象物２０が映し出され、その虚像２４が表示板１４の背後に形成されることとなる。
【００６６】
次に、この表示切り替え待機状態から表示切り替えを行うには、駆動手段４２を駆動し、カム４０をさらに反時計方向に回転させる。
【００６７】
すると、カム４０の乗り上げ部６２に乗り上げていたレバー３８のカム係合部４６が乗り上げ解除部６４位置で乗り上げ状態が解除され、この乗り上げ状態の解除によって図５及び図６に示すように、付勢手段３０、５９の付勢力によって、レバー３８のカム係合部４６が下方に揺動して位置決め部材６６に当接することとなる。
【００６８】
これによって、レバー３８の跳上板係合部４８及び表示板係合部５０による跳上板２８及び表示板１４への押し付け力が解除され、付勢手段５９の付勢力によって表示板１４が表示位置Ａから視界から隠れる位置Ｂへと回動して第１の表示対象物２０を隠しつつ、かつ、付勢手段３０の付勢力によって跳上板２８が破片である第２の表示対象物２２を跳ね上げ表示する。
【００６９】
この場合、普段見えている完全形態物が突然破片形態物の跳ね上げ動作に変化するので、動きが予想できず、動作時に新鮮な驚きを与えることができる。
【００７０】
また、表示板１４はハーフミラーにて形成されているため、第１の表示対象物２０から第２の表示対象物２２に表示を切り替える際に、カップから破片への表示の移行を連動させて、言い換えると、カップがまだ見えているときに破片の表示が始まるようにさせて、カップと破片が同時に見えている期間をつくることができる。
【００７１】
この効果により、不自然な感じを与えることなく連続した移行状態を呈することができる。
【００７２】
また、第２の表示対象物２２は、飛散方向制御板３４によって飛散方向が制御されているため、あたかも破裂した破片が飛散しているような状態を呈し、現実味のある表示を行うことができる。
【００７３】
さらに、本実施の形態においては、筐体１２の上部にＬＥＤ基板６８を配置し、このＬＥＤ基板６８に第１の表示対象物２０及び第２の表示対象物２２を照射する複数の照明であるＬＥＤ７０を取り付け、表示板１４に映し出す第１の表示対象物２０の表示と、実体物である第２の表示対象物２２の表示とを明瞭なものとするようにしている。
【００７４】
また、ＬＥＤ７０の照射をやめることにより、第２の表示対象物２２等が目立たなくなるため、それを利用して表示板１４を戻すようにしている。
【００７５】
このように、この実施の形態における表示装置１０は、１つの駆動手段４２により表示板１４の保持及び回動、跳上板２８の跳ね上げ動作を行うことができ、簡単な構成で、小型のものとすることができ、適用対象物を拡大することができる。
【００７６】
図８及び図９には、本発明の他の実施の形態を示す。
【００７７】
この実施の形態では、パチンコ遊技機１００に前記実施の形態に係る表示装置１０を取り付けた例を示すもので、図８及び図９にはパチンコ遊技機１００の盤面１０２が示されている。
【００７８】
このパチンコ遊技機１００の盤面１０２には、その中央部分に液晶等画像表示手段を用いて構成された表示部１０４が配置されている。
【００７９】
表示部１０４には、パチンコ遊技機１００の遊技演出画像及びその他必要な情報が表示される。
【００８０】
表示部１０４の両側に普通図柄入賞口として機能するスルーチャッカー１０６が配置され、さらに表示部１０４の下方には、特別図柄始動入賞口として機能しスタートチャッカーと呼ばれる始動入賞口１０８と、大当り入賞口１１０が設けられ、さらに下端部にはアウト玉入口１１２が設けられている。
【００８１】
遊技者が図示せぬハンドルを把持し、回転操作することより、打球供給皿に蓄えられたパチンコ玉は、打球発射機構により発射され、外レール１１４及び内レール１１６との間を外レール１１４に案内されて円弧状の軌道を描いて上方へ時計回りに転動していき、盤面１０２内を落下していく。
【００８２】
盤面１０２には、図示したスルーチャッカー１０６及び始動入賞口１０８以外に、図示しない複数の通常入賞口が配置されている。
【００８３】
各入賞口に玉が入ると、スイッチ等の検出手段により検出される。入賞口に玉が入ると、賞球が打球供給皿に払い出される。
【００８４】
入賞しなかった玉は、アウト玉入口１１２に入って回収される。
【００８５】
始動入賞口１０８に玉が入ってまた通過して入賞すると、所与のルールに従い、特別遊技状態を発生させるための特別図柄抽選処理が行われる。
【００８６】
本実施の形態では、この特別図柄抽選処理により、特別遊技状態として大当りの権利を遊技者に付与するか否かの決定が行われる。
【００８７】
このとき表示部１０４には、演技演出画像の一部として複数の図柄の組み合わせを用いて抽選演出画像の表示が行われ、すべての図柄が揃うと大当りとなり、大当り入賞口１１０が開き、多くの玉が払い出される状態に制御される。
【００８８】
スルーチャッカー１０６に玉が入ってまたは通過して入賞すると、スタートチャッカーとしての始動入賞口１０８の入賞確率を所与のルールに従い所定の短時間高めるための、いわゆる普通図柄抽選処理が行われる。
【００８９】
そして、この普通図柄抽選処理により、始動入賞口１０８を所定の短時間開くことを指示する当りの決定が行われると、始動入賞口１０８が一定時間、例えば３秒間開き、その時間経過後、始動入賞口１０８が閉じる。
【００９０】
これにより特別図柄抽選処理の回数が増え、遊技者に対し大当りの期待感を抱かせることができる。
【００９１】
また、盤面１０２の表示部１０４の隣には、抽選演出を行うための抽選演出用役物として前述の表示装置１０が設けられている。
【００９２】
そして、表示装置１０と表示部１０４とを連動させて抽選演出を行うようにしている。
【００９３】
例えば、表示部１０４では、例えばシューティングデバイスの画像を表示し、大当りのときに、シューティングデバイスから玉が発射される画像１１８を表示し、このとき、第１の表示対象物２０から第２の表示対象物２２へと表示装置１０の表示を切り替え、破片を飛散させるようにしている。
【００９４】
このようにすることで、実体物で構成されたカップが破砕されて飛び散る状態を抽選演出に組み込むことができるので、リアルで迫力のある抽選演出を行うことができ、単に液晶表示部に抽選表示画像を表示するだけの遊技機との差別化を図ることができる。
【００９５】
なお、本実施の形態では、表示装置１０を表示部１０４の隣に配置する場合を例にとり説明したが、これに限らず、例えば表示装置１０を盤面上の表示部１０４から離れた場所に配置する場合でもよい。
【００９６】
表示装置１０の構成及び作用は、前記実施の形態と同様につき説明を省略する。
【００９７】
なお、パチスロ遊技機に本表示装置１０を取り付けてもよい。
【００９８】
図１０には、本発明のさらに他の実施の形態を示す。
【００９９】
この実施の形態では、表示装置１０を射撃ゲーム装置１２０として用いる場合を示している。
【０１００】
この射撃ゲーム装置１２０は、光線銃１２２にて、表示板１４に映し出された第１の表示対象物２０の虚像２４を狙って光線１２４、例えばキセノン光線を照射し、この光線１２４が虚像２４に命中すると、光線１２４は表示板１４の表面で反射されて第１の表示対象物２０に照射され、第１の表示対象物２０に設けた受光センサー１２６がこの光線１２４を感知するようになっている。
【０１０１】
そして、受光センサ１２６が光線１２４を感知すると、移動手段３６を駆動させ、第１の表示対象物２０から第２の表示対象物２２へと切り替え表示し、あたかもカップが被弾して破砕し飛び散る状態を演出するようになっている。
【０１０２】
表示装置１０の構成及び作用は、前記実施の形態と同様につき説明を省略する。
【０１０３】
本発明は、前記実施の形態に限定されるものではなく、本発明の要旨の範囲内において種々の形態に変形可能である。
【０１０４】
例えば、前記実施の形態では、第１の表示対象物としてカップの形態のものを採用し、第２の表示対象物としてその破片を用いているが、この例に限定されるものではなく、第１の表示対象物と第２の表示対象物とが連続した動作を関連付けるものであれば種々の形態のものを採用することが可能である。
【０１０５】
また、前記実施の形態では、表示板としてハーフミラーを用いたが、この例に限らず、鏡や透明ガラスなど第１の表示対象物を反射表示できるものであれば種々のものを採用することもできる。
【０１０６】
さらに、前記実施の形態では、表示板の下辺を回動可能に固定し、上辺部側を回動させるようにしているが、この例に限らず、一辺が回動可能に固定され、上下または横方向の回動によって第１の表示対象物の表示位置と視界から隠れる位置とに移動可能にしてもよい。
【０１０７】
この場合、第１の表示対象物は、表示板に映し出して視認可能な位置、例えば表示板の上下または左右位置に配置すればよい。
【０１０８】
また、上辺を回動可能に固定する場合及び左右辺を回動可能に固定する場合には、表示板が視界から隠れる位置に付勢する付勢手段を設けるとよい。
【０１０９】
さらに、前記実施の形態では、表示板の下辺を回動可能に固定し、かつ付勢手段にて視界から隠れる方向に付勢するようにしているが、この例に限らず、付勢手段を省略して、移動手段により支持状態が解除されることで上部側が自重で下方に回動し、第１の表示対象物上を覆って視界から隠れるような構成とすることも可能である。
【図面の簡単な説明】
【図１】本発明の一実施の形態に係る表示装置の正面図である。
【図２】図１の移動手段側から見た側面図である。
【図３】本実施の形態に係る表示装置の内部構造を示す一部破断正面図である。
【図４】本実施の形態に係る表示装置の内部構造を示す側面図である。
【図５】第１の表示対象物から第２の表示対象物に切り替え表示した状態を示す図３対応の正面図である。
【図６】図５の状態を示す側面図である。
【図７】透明カバー及び飛散方向制御板の状態を示す斜視図である。
【図８】本実施の形態に係る表示装置をパチンコ遊技機に適用した状態を示す盤面の正面図である。
【図９】図８の表示装置の取り付け状態を示す縦断面図である。
【図１０】本実施の形態の表示装置を射撃ゲーム装置に用いた状態を示す側面図である。
【符号の説明】
１０  表示装置
１４  表示板
２０  第１の表示対象物
２２  第２の表示対象物
２６  跳上手段
２８  跳上板
３０、５９  付勢手段
３２  透明カバー
３４  飛散方向制御板
３６  移動手段
３８  レバー
４０  カム
４２  駆動手段
４６  カム係合部
４８  跳上板係合部
５０  表示板係合部
５２  回転軸
５４  アーム
５６  ローラ
５８  孔部
７０  ＬＥＤ
１００  パチンコ遊技機
１２０  射撃ゲーム装置
【図１】
2004191681.tif 000003
【図２】
2004191681.tif 000004
【図３】
2004191681.tif 000005
【図４】
2004191681.tif 000006
【図５】
2004191681.tif 000007
【図６】
2004191681.tif 000008
【図７】
2004191681.tif 000009
【図８】
2004191681.tif 000010
【図９】
2004191681.tif 000011
【図１０】
2004191681.tif 000012